(57)【特許請求の範囲】
【請求項１】
車両の車輪に制動トルクを付与する制動手段と、
前記車両の操舵状態が緊急操舵であるか、否かを取得する緊急操舵取得手段と、
前記緊急操舵取得手段が前記緊急操舵であることを取得した場合において、前記制動手段を介して、前記車輪に付与される制動トルクを増加する制御手段とを備える車両の運動制御装置であって、
前記車輪の回転速度である車輪速度を取得する車輪速度取得手段と、
前記車輪速度に基づいて、前記車輪の過大な前後スリップを抑制するスリップ抑制制御を前記車輪毎に実行するスリップ抑制手段とを備え、
前記制御手段は、
前記緊急操舵に対応する前記車両の旋回運動において内側の前輪に前記スリップ抑制制御が実行される場合に、前記緊急操舵に対応する前記車両の旋回運動において外側の前輪に対する前記制動トルクの時間に対する増加勾配を減少して、前記緊急操舵に対応する前記車両の旋回運動において外側の前輪に対する前記制動トルクを増加する制限制御を行うことを特徴とする車両の運動制御装置。
【請求項２】
請求項１に記載の車両の運動制御装置において、
前記制御手段は、
前記スリップ抑制制御が行われる以前において、前記外側の前輪における前記制動トルクと、前記内側の前輪における前記制動トルクとを等しい増加量をもって増加することを特徴とする車両の運動制御装置。
【請求項３】
請求項１又は請求項２に記載の車両の運動制御装置において、
前記制御手段は、
前記車輪のうちで後輪に対する前記制動トルクの時間変化量を、前記車輪のうちで前輪に対する前記制動トルクの時間変化量よりも小さくすることを特徴とする車両の運動制御装置。
【請求項４】
請求項１又は請求項２に記載の車両の運動制御装置において、
前記制御手段は、
前記車輪のうちで前輪に対する前記制動トルクを増加すると共に
前記車輪のうちで後輪に対する前記制動トルクを保持することを特徴とする車両の運動制御装置。
【請求項５】
請求項１乃至請求項４に記載の車両の運動制御装置であって、
前記車両の操舵操作部材の操舵速度を取得する操舵速度取得手段を備え、
前記緊急操舵取得手段は、前記操舵速度に基づいて前記緊急操舵であることを取得することを特徴とする車両の運動制御装置。
【請求項６】
請求項５に記載の車両の運動制御装置であって、
前記車両の旋回状態の程度を表す旋回量を取得する旋回量取得手段を備え、
前記緊急操舵取得手段は、前記旋回量基づいて前記緊急操舵であることを取得することを特徴とする車両の運動制御装置。
【請求項７】
請求項５又は請求項６に記載の車両の運動制御装置であって、
前記車両と該車両の前方の障害物との間の相対距離を取得する相対距離取得手段と、
前記車両の走行速度を取得する車速取得手段とを備え、
前記緊急操舵取得手段は、
前記相対距離、及び、前記走行速度に基づいて前記緊急操舵であることを取得することを特徴とする車両の運動制御装置。
【発明の詳細な説明】
【技術分野】
【０００１】
本発明は、運転者が障害物等を回避する際に、制動力制御によって緊急回避性能を向上する車両の運動制御装置に関する。
【背景技術】
【０００２】
特許文献１には、運転者が障害物等を回避するため操舵操作（ステアリング操作）を行った場合に、車輪の制動力を利用して車両の進行方向を速やかに変更できるようにする車両の制動力制御装置を提供することを目的として、緊急回避操舵操作が検出されたときに操舵操作方向への車両の進行方向変化を車輪ブレーキの制動力によって発生させ、車両のヨーレイトを所定時間積分して得られる車両の進行方向変化量が敷居値に達したときに制動力制御を終了することが記載されている。
【０００３】
さらに、路面摩擦係数の増加に応じて制動力の発生量が増加するように、制動力発生量が路面摩擦係数に応じて補正され、車両が横滑りを起こし難い高路面摩擦係数路の走行中には、大きな制動力により大きなヨーモーメントを発生させて障害物の回避を確実に行うことが記載されている。
【０００４】
特許文献２には、衝突危険の発生に対応する自動制動に際して、路面状況の変動や自動制動中の運転者の操舵操作等にかかわらず安定した車両走行制御を実施するため、車両を減速するべきであるかどうかを判断し、減速するべきであると判断した場合に、路面摩擦係数に基づいて推定される推定最大制動力よりも所定割合だけ小さく設定された制動力での自動制動を行うことが記載されている。
【先行技術文献】
【特許文献】
【０００５】
【特許文献１】特許第３７８４４３６号公報
【特許文献２】特開２００４−１８９０７５号公報
【発明の概要】
【発明が解決しようとする課題】
【０００６】
例えば、路面摩擦係数を検出する方法としては、加速度（前後加速度、横加速度）の信号が用いられる。この場合、車輪の発生力（前後力、横力）が限界（摩擦限界）に達して後、路面摩擦係数の検出が初めて可能となる。摩擦限界に到達して後に得られる路面摩擦係数を用いて上記制動制御が実行された場合、十分な制御効果を発揮できない場合がある。カメラ等で路面性状を検出して、車輪が摩擦限界に達する前に路面摩擦係数を検出する方法も存在するが、路面摩擦係数の検出精度は十分ではなく、装置全体が高価となる問題も存在する。
【０００７】
本発明の目的は、運転者が障害物等を回避する緊急操舵において、路面の摩擦係数を用いることなく、路面状態に応じた好適な制動力制御を実行できる車両の運動制御装置を提供することである。
【課題を解決するための手段】
【０００８】
本発明に係る車両の運動制御装置は、制動手段（ＭＢＲ）と、緊急操舵取得手段（ＭＫＱ）と、制御手段（ＣＴＬ）と、車輪速度取得手段（ＶＷＡ）と、スリップ抑制手段（ＳＬＰ）とを備える。制動手段（ＭＢＲ）は、車両の車輪（ＷＨ[**]）に制動トルクを付与する。緊急操舵取得手段（ＭＫＱ）は、前記車両の操舵状態が緊急操舵である（Ｋｑｓ＝１）か、否か（Ｋｑｓ＝０）を取得する。制御手段（ＣＴＬ）は、前記緊急操舵取得手段（ＭＫＱ）が、前記緊急操舵であること（Ｋｑｓ＝１）を取得した場合において、前記制動手段（ＭＢＲ）を介して、前記車輪に付与される制動トルク（Ｐｗｔ[**]，Ｐｗｕ[**]，Ｐｗａ[**]）を増加する。車輪速度取得手段（ＶＷＡ）は、前記車輪（ＷＨ[**]）の回転速度である車輪速度（Ｖｗａ[**]）を取得する。スリップ抑制手段（ＳＬＰ）は、前記車輪速度（Ｖｗａ[**]）に基づいて、前記車輪（ＷＨ[**]）の過大な前後スリップを抑制する。
【０００９】
そして、前記制御手段（ＣＴＬ）は、前記緊急操舵に対応する前記車両の旋回運動において内側の前輪（ＷＨ[fi]）に前記スリップ抑制制御が実行される場合に、前記緊急操舵に対応する前記車両の旋回運動において外側の前輪（ＷＨ[fo]）に対する前記制動トルク（Ｐｗｔ[fo]，Ｐｗｕ[fo]，Ｐｗａ[fo]）の増加量を制限する制限制御を行うように構成される。
【００１０】
また、前記制御手段（ＣＴＬ）は、前記緊急操舵によって変動する前記車輪の接地荷重（Ｆｚ[**]）を、前記緊急操舵であること（Ｋｑｓ＝１）が取得された場合に適用される予め設定された関係（所定値ｆｚ１，実横加速度Ｇｙａ、或いは、計算横加速度Ｇｙｅに基づく演算マップ）に基づいて予測し、前記接地荷重（Ｆｚ[**]）に基づいて、前記緊急操舵に対応する前記車両の旋回運動において内側の前輪（ＷＨ[fi]）に前記スリップ抑制制御が実行され、且つ、前記緊急操舵に対応する前記車両の旋回運動において外側の前輪（ＷＨ[fo]）に前記スリップ抑制制御が実行されない値に、前記制動トルク（Ｐｗｐ[**]，Ｐｗｑ[**]，Ｐｗｖ[**]，Ｐｗａ[**]）を増加するように構成されてもよい。
【００１１】
さらに、前記制御手段（ＣＴＬ）は、前記スリップ抑制制御が行われる以前において、前記外側の前輪における前記制動トルク（Ｐｗｔ[fo]，Ｐｗｕ[fo]，Ｐｗｐ[fo]，Ｐｗｑ[fo]，Ｐｗｖ[fo]，Ｐｗａ[fo]）と、前記内側の前輪における前記制動トルク（Ｐｗｔ[fi]，Ｐｗｕ[fi]，Ｐｗｐ[fi]，Ｐｗｑ[fi]，Ｐｗｖ[fi]，Ｐｗａ[fi]）とを等しい増加量をもって増加するように構成され得る。
【００１２】
本発明に係る車両の運動制御装置において、前記制御手段（ＣＴＬ）は、前記車輪のうちで後輪（ＷＨ[r*]）に対する前記制動トルク（Ｐｗｔ[r*]，Ｐｗｕ[r*]，Ｐｗａ[r*]）の時間変化量を、前記車輪のうちで前輪（ＷＨ[f*]）に対する前記制動トルク（Ｐｗｔ[f*]，Ｐｗｕ[f*]，Ｐｗａ[f*]）の時間変化量よりも小さくするように構成される。また、前記制御手段（ＣＴＬ）は、前記車輪のうちで前輪（ＷＨ[f*]）に対する前記制動トルク（Ｐｗｔ[f*]，Ｐｗｕ[f*]，Ｐｗａ[f*]）を増加し、且つ、前記車輪のうちで後輪（ＷＨ[r*]）に対する前記制動トルク（Ｐｗｔ[r*]，Ｐｗｕ[r*]，Ｐｗａ[r*]）を保持するように構成され得る。
【００１３】
本発明に係る車両の運動制御装置は、操舵速度取得手段（ＤＳＡ）を備え、前記車両の操舵操作部材（ＳＷ）の操舵速度（ｄＳａ）を取得する。そして、前記緊急操舵取得手段（ＭＫＱ）は、前記操舵速度（ｄＳａ）に基づいて前記緊急操舵であること（Ｋｑｓ＝１）を取得する。具体的には、前記緊急操舵取得手段（ＭＫＱ）は、前記操舵速度（ｄＳａ）が所定速度（所定値ｄｓａ１）以上の場合において、前記緊急操舵であること（Ｋｑｓ＝１）を取得する。
【００１４】
本発明に係る車両の運動制御装置は、旋回量取得手段（ＴＣＡ）を備え、前記車両の旋回状態の程度を表す旋回量（Ｔｃａ）を取得する。そして、前記緊急操舵取得手段（ＭＫＱ）は、前記旋回量（Ｔｃａ）基づいて前記緊急操舵であること（Ｋｑｓ＝１）を取得することが望ましい。具体的には、前記緊急操舵取得手段（ＭＫＱ）は、前記旋回量（Ｔｃａ）が所定旋回量（所定値ｔｃａ１）以上の場合において、前記緊急操舵であること（Ｋｑｓ＝１）を取得する。
【００１５】
本発明に係る車両の運動制御装置は、相対距離取得手段（ＤＯＢ）と車速取得手段（ＶＸＡ）とを備える。相対距離取得手段（ＤＯＢ）は、前記車両と該車両の前方の障害物との間の相対距離（Ｄｏｂ）を取得する。車速取得手段（ＶＸＡ）は、前記車両の走行速度（Ｖｘａ）を取得する。そして、前記緊急操舵取得手段（ＭＫＱ）は、前記相対距離（Ｄｏｂ）、及び、前記走行速度（Ｖｘａ）に基づいて前記緊急操舵であること（Ｋｑｓ＝１）を取得することが望ましい。
【００１６】
本発明に係る車両の運動制御装置は、制動操作量取得手段（ＢＳＡ）を備え、前記車両の運転者によって操作される制動操作部材（ＢＰ）の制動操作量（Ｂｓａ）を取得する。そして、前記制御手段（ＣＴＬ）は、前記制動操作量（Ｂｓａ）が所定操作量（所定値ｂｓａ１）以下の場合において、前記制動トルク（Ｐｗｔ[**]，Ｐｗｕ[**]，Ｐｗｐ[**]，Ｐｗｑ[**]，Ｐｗｖ[**]，Ｐｗａ[**]）を増加し、且つ、前記制動操作量（Ｂｓａ）が所定操作量（ｂｓａ１）よりも大きい場合において、前記制動トルク（Ｐｗｔ[**]，Ｐｗｕ[**]，Ｐｗｐ[**]，Ｐｗｑ[**]，Ｐｗｖ[**]，Ｐｗａ[**]）を保持するように構成され得る。
【発明の効果】
【００１７】
本発明は上述のように構成されているので、以下の効果を奏する。
【００１８】
車輪の発生力は車輪スリップによって発生するため、車輪が摩擦限界に達したか否かは、前後スリップ量（車輪の回転方向のスリップ）に現れる。車両の旋回運動に伴う接地荷重移動の影響によって、外輪（接地荷重が増加）よりも内輪（接地荷重が減少）の方が、早期に摩擦限界に到達する。また、車両の旋回運動は、前輪に横力が発生することで開始されるため、緊急回避においては、前輪の発生力が支配的である。以上のことから、内前輪が摩擦限界に達したとき（即ち、内前輪にスリップ抑制制御が実行されたとき）に、外前輪の制動トルクの増加量が抑制（減少）されることによって、緊急操舵に必要な前輪の横力が確保されると共に、十分な車両減速が得られる。具体的には、車両の緊急回避においては、走行移動距離（前後方向に進む距離）に対して横移動距離（横方向に移動する距離）が確保される必要があるが、車輪の制動力と横力とのトレードオフにおいて車輪発生力が適正に調整され得る。その結果、短い走行移動距離で十分な横移動距離が確保されると共に、効果的に車両が減速され得る。
【００１９】
また、緊急回避状態における接地荷重移動量は事前に把握が可能である。そのため、予め設定された関係（所定値ｆｚ１，実際の横加速度Ｇｙａ、或いは、計算横加速度Ｇｙｅに基づく演算マップ）に基づいて各輪の接地荷重を予測し、予測された接地荷重に基づいて、制動トルク（Ｐｗｔ[**]，Ｐｗｕ[**]，Ｐｗａ[**]）を内前輪にはスリップ抑制制御が実行され、且つ、外前輪にはスリップ抑制制御が実行されない値にまで増加するように構成されるため、上記と同様に、短い走行移動距離（前後移動距離）で十分な横移動距離が確保され得る。さらに、車両の走行速度を効果的に減少できる。
【００２０】
そして、スリップ抑制制御が実行される時点までは、左右の前輪において同一の制動トルクが与えられるように構成され得る。制動トルク増加が、通常制動（運転者の操作に応じて制動トルクが増加される）と同様であるため、制御実行時の違和感が抑制され得る。
【００２１】
急操舵と制動が同時に行われる場合、車両のふらつきが発生する場合がある。特に、自動的な制動が行われている場合、このふらつきは運転者への違和感となる。後輪制動トルクの時間変化量（単位時間当りの増加量）が、前輪制動トルクの時間変化量よりも小さくされることによって、後輪横力が確保されて、車両のふらつきが抑制され得る。同様に、制動トルクの増加が前輪のみにて行われるように構成されるため、後輪の横力が確保されて、進路変更時の車両ふらつきが抑制され得る。
【００２２】
緊急的な操舵操作の判定において、操舵速度の条件に旋回量の条件が付加されるため、より確実な緊急操舵判定が行われ得る。さらに、前方障害物との相対距離等の情報が付加されるため、より確実な緊急操舵判定が行われ得る。
【００２３】
運転者が制動操作を行っている場合には、既に車輪に制動トルクが与えられているため、制動制御が然程必要ではない。制動操作量が所定値ｂｓａ１以下の場合（例えば、ｂｓａ１＝０であって制動操作が行われていない場合）にのみ、制動トルク増加が行われるため、不必要な制動トルク増加が抑制され得る。
【図面の簡単な説明】
【００２４】
【図１】本発明の実施形態に係る車両の運動制御装置を備えた車両の全体構成を示す図である。
【図２】図１に示すブレーキアクチュエータＢＲＫの全体構成を示す図である。
【図３】障害物等を緊急的に回避する場合の緊急回避挙動について説明する図である。
【図４】本実施形態における車両運動制御装置の演算処理例を示す機能ブロック図である。
【図５】緊急操舵取得手段ＭＫＱでの緊急操舵状態の判定演算について説明するためのフロー図である。
【図６】スリップ抑制手段ＳＬＰについて説明するための機能ブロック図である。
【図７】制限制御演算ブロックＬＭＴの実施形態について、作用・効果を説明するための時系列線図である。
【図８】前後配分演算ブロックＦＲＨの実施形態について、作用・効果を説明するための制動トルクの前後配分線図である。
【図９】前後配分演算ブロックＦＲＨの他の実施形態について、作用・効果を説明するための時系列線図である。
【図１０】本実施形態における車両運動制御装置の他の演算処理例を示す機能ブロック図である。
【発明を実施するための形態】
【００２５】
図１は、本発明の実施形態に係る車両の運動制御装置（「本装置」という）を備えた車両の全体構成を示す図である。
【００２６】
なお、各種記号等の末尾に付された添字[**]は、各種記号等が４輪のうちの何れに関するものであるかを示す。「f」は前輪、「r」は後輪、「m」は車両進行方向に対して右側車輪、「h」は左側車輪、「o」は旋回方向に対して外側車輪（外輪）、「i」は内側車輪（内輪）を示す。したがって、「fh」は左前輪、「fm」は右前輪、「rh」は左後輪、「rm」は右後輪を示す。また、「fo」は旋回外側前輪（外前輪）、「fi」は旋回内側前輪（内前輪）、「ro」は旋回外側後輪（外後輪）、「ri」は旋回内側後輪（内後輪）を示す。
【００２７】
また、車両の旋回方向には右方向と左方向の場合がある。それらは一般的には正負の符号が付され、例えば左方向が正符号として表され、右方向が負符号として表される。さらに、車両の加速・減速も、一般的には正負の符号が付され、例えば、加速が正符号として表され、減速が負符号として表される。しかし、値の大小関係、或いは、値の増加・減少を説明する際にその符号を考慮すると非常に煩雑となる。そのため、特に限定がない場合には、絶対値の大小関係、絶対値の増加・減少を表す。また、所定値は正の値とする。
【００２８】
車両には、車輪ＷＨ[**]の回転速度である車輪速度Ｖｗａ[**]を検出する車輪速度センサＷＳ[**]と、ステアリングホイールＳＷの（車両の直進走行に対応する操舵装置の中立位置「０」からの）回転角度θｓｗを検出するステアリングホイール角センサＳＡと、操向車輪（前輪）の操舵角δｆａを検出する前輪舵角センサＦＳと、運転者がステアリングホイールＳＷを操作する際のトルクＴｓｗを検出する操舵トルクセンサＳＴと、車両に作用する実際のヨーレイトＹｒａを検出するヨーレイトセンサＹＲと、車体前後方向における前後加速度Ｇｘａを検出する前後加速度センサＧＸと、車体横方向における横加速度Ｇｙａを検出する横加速度センサＧＹと、ホイールシリンダＷＣ[**]の制動液圧Ｐｗａ[**]を検出するホイールシリンダ圧力センサＰＷ[**]と、エンジンＥＧの回転速度Ｎｅａを検出するエンジン回転速度センサＮＥと、エンジンのスロットル弁の開度Ｔｓａを検出するスロットル位置センサＴＳが備えられる。
【００２９】
そして、運転者の運転操作を検出する手段として、運転者の加速操作部材（例えば、アクセルペダル）ＡＰの操作量Ａｓａを検出する加速操作量センサＡＳと、運転者の制動操作部材（例えば、ブレーキペダル）ＢＰの操作量Ｂｓａを検出する制動操作量センサＢＳと、変速操作部材ＳＦのシフト位置Ｈｓａを検出するシフト位置センサＨＳとが備えられている。
【００３０】
また、車両には、制動液圧を制御するブレーキアクチュエータＢＲＫと、スロットル弁を制御するスロットルアクチュエータＴＨと、燃料の噴射を制御する燃料噴射アクチュエータＦＩと、変速を制御する自動変速機ＡＴとが備えられている。
【００３１】
加えて、車両には、上述の各種アクチュエータ（ＢＲＫ等）、及び上述の各種センサ（ＷＳ[**]等）と電気的に接続された電子制御ユニットＥＣＵが備えられている。電子制御ユニットＥＣＵは、相互に通信バスＣＢで接続された、複数の独立した電子制御ユニットＥＣＵ（ＥＣＵｂ，ＥＣＵｓ，ＥＣＵｅ，ＥＣＵａ）から構成されたマイクロコンピュータである。電子制御ユニットＥＣＵ内の各系の電子制御ユニット（ＥＣＵｂ等）は、専用の制御プログラムをそれぞれ実行する。各種センサの信号（センサ値）、及び、各電子制御ユニット（ＥＣＵｂ等）内で演算される信号（内部演算値）は、通信バスＣＢを介して共有される。
【００３２】
本装置の演算処理は、電子制御ユニットＥＣＵ内に備えられる。例えば、本装置の演算処理は、ブレーキアクチュエータＢＲＫを制御するブレーキ系電子制御ユニットＥＣＵｂ内にプログラムされている。ブレーキ系電子制御ユニットＥＣＵｂでは、車輪速度センサＷＳ[**]、ヨーレイトセンサＹＲ、横加速度センサＧＹ等からの信号に基づいて、アンチスキッド制御（ＡＢＳ制御）、トラクション制御（ＴＣＳ制御）等が実行される。また、車輪速度センサＷＳ[**]によって検出された各車輪の車輪速度Ｖｗａ[**]に基づいて、周知の方法によって、車両の走行速度（車速）Ｖｘａが演算される。
【００３３】
操舵系電子制御ユニットＥＣＵｓでは、操舵トルクセンサＳＴ等からの信号に基づいて、電動パワーステアリング制御（ＥＰＳ制御）が実行される。エンジン系電子制御ユニットＥＣＵｅでは、加速操作量センサＡＳ等からの信号Ａｓａに基づいて、スロットルアクチュエータＴＨ、燃料噴射アクチュエータＦＩの制御が実行される。トランスミッション系電子制御ユニットＥＣＵａでは、自動変速機ＡＴの変速比の制御が実行される。
【００３４】
ブレーキアクチュエータＢＲＫ（制動手段ＭＢＲの一部に相当）は、複数の電磁弁（液圧調整弁）、液圧ポンプ、電気モータ等を備えた周知の構成を有している。ブレーキ制御の非実行時では、ブレーキアクチュエータＢＲＫは、運転者による制動操作部材ＢＰの操作に応じた制動液圧を各車輪のホイールシリンダＷＣ[**]にそれぞれ供給し、各車輪に対して制動操作部材（ブレーキペダル）ＢＰの操作に応じた制動トルクを与える。アンチスキッド制御（ＡＢＳ制御）、トラクション制御（ＴＣＳ制御）、或いは、車両のアンダステア、オーバステアを抑制する車両安定性制御（ＥＳＣ制御）等のブレーキ制御の実行時には、ブレーキアクチュエータＢＲＫは、ブレーキペダルＢＰの操作とは独立してホイールシリンダＷＣ[**]毎の制動液圧を制御し、制動トルクを車輪毎に調整できる。
【００３５】
各車輪には、制動手段ＭＢＲとして、周知のホイールシリンダＷＣ[**]、ブレーキキャリパＢＣ[**]、ブレーキパッドＰＤ[**]、及び、ブレーキロータＲＴ[**]が備えられる。ブレーキキャリパＢＣ[**]に設けられたホイールシリンダＷＣ[**]に制動液圧が与えられることにより、ブレーキパッドＰＤ[**]がブレーキロータＲＴ[**]に押付けられ、その摩擦力によって、各車輪に制動トルクが与えられる。なお、制動トルクの制御は、制動液圧によるものに限らず、電気ブレーキ装置を利用して行うことも可能である。
【００３６】
車両には、前方監視装置ＺＰが備えられている。前方監視装置ＺＰは、前方監視用のレーダセンサＲＳ、カメラ（前方監視カメラ）ＣＭ、及び、電子制御ユニットＥＣＵｚで構成されている。
【００３７】
前方監視装置ＺＰ（電子制御ユニットＥＣＵｚ）は、電子制御ユニットＥＣＵと、電気的に接続される。電子制御ユニットＥＣＵｚは、レーダセンサＲＳ、及び、カメラ（前方監視カメラ）ＣＭと電気的に接続されている。レーダセンサＲＳは、車両前方の障害物（例えば、先行車両）に向けて、車幅方向の所定角度範囲に、レーザ光（或いは、ミリ波等の電波）をスキャン照射し、その反射を受光する。前方監視用電子制御ユニットＥＣＵｚは、その反射に基づいて、障害物の有無、障害物が存在する角度、及び障害物までの距離を検出する。カメラＣＭは、車両前方の映像を取得する。前方監視用電子制御ユニットＥＣＵｚは、カメラＣＭからの映像に基づいて、車両前方の障害物（例えば、先行車両）の有無、障害物までの距離を演算する。
【００３８】
図２は、ブレーキアクチュエータＢＲＫの全体構成を示す図である。運転者が制動操作部材（例えば、ブレーキペダル）ＢＰを踏み込むと、倍力装置ＶＢにて踏力が倍力され、マスタシリンダＭＣに設けられたマスタピストンが押される。これにより、マスタピストンによって区画される第１室と第２室とに同じ圧力のマスタシリンダ圧Ｐｍｃが発生する。マスタシリンダ圧Ｐｍｃは、ブレーキアクチュエータＢＲＫを通じて各車輪ＷＨ[**]のホイールシリンダＷＣ[**]に与えられる。
【００３９】
ブレーキアクチュエータＢＲＫは、マスタシリンダＭＣの第１室に接続される第１配管系統ＨＰ１と、マスタシリンダＭＣの第２室に接続される第２配管系統ＨＰ２とを有している。第１配管系統ＨＰ１は、左前輪ＷＨ[fh]と右後輪ＷＨ[rm]に加えられる制動液圧を制御する。第２配管系統ＨＰ２は、右前輪ＷＨ[fm]と左後輪ＷＨ[rh]に加えられる制動液圧を制御する。第１配管系統ＨＰ１と第２配管系統ＨＰ２とは、同様の構成であるため、以下では第１配管系統ＨＰ１についてのみ説明し、第２配管系統ＨＰ２についての説明は省略される。図２に示す構成は、ダイアゴナル配管の構成であるが、ブレーキの配管構成は、前後配管でもよい。
【００４０】
第１配管系統ＨＰ１は、制動液圧（ホイールシリンダ内の液圧）Ｐｗ[fh]，Ｐｗ[rm]を発生させる管路ＬＡを備える。この管路ＬＡには、連通状態と差圧状態に制御できる第１差圧制御弁ＳＳ１が備えられる。そして、マスタシリンダ圧Ｐｍｃが、左前輪ＷＨ[fh]に備えられたホイールシリンダＷＣ[fh]、及び、右後輪ＷＨ[rm]に備えられたホイールシリンダＷＣ[rm]に伝達される。運転者がブレーキペダルＢＰの操作を行う通常ブレーキ時（ブレーキ制御が実行されていないとき）には、この第１差圧制御弁ＳＳ１は連通状態となるように弁位置が開状態に調整される。第１差圧制御弁ＳＳ１に通電されると、弁位置が閉状態に調整され、第１差圧制御弁ＳＳ１が差圧状態とされる。
【００４１】
管路ＬＡは、第１差圧制御弁ＳＳ１よりもホイールシリンダＷＣ[fh]，ＷＣ[rm]の側において、２つの管路ＬＡ[fh]，ＬＡ[rm]に分岐する。管路ＬＡ[fh]にはホイールシリンダＷＣ[fh]への制動液圧の増圧を制御する第１増圧制御弁ＳＺ[fh]が備えられる。管路ＬＡ[rm]にはホイールシリンダＷＣ[rm]への制動液圧の増圧を制御する第２増圧制御弁ＳＺ[rm]が備えられる。第１、及び、第２増圧制御弁ＳＺ[fh]，ＳＺ[rm]は、連通・遮断状態を制御できる２位置の電磁弁により構成される。第１、及び、第２増圧制御弁ＳＺ[fh]，ＳＺ[rm]は、供給される電流が「０」のとき（非通電時）には連通状態（開状態）となり、電流が流されるとき（通電時）に遮断状態（閉状態）に制御される。第１、及び、第２増圧制御弁ＳＺ[fh]，ＳＺ[rm]は、所謂ノーマルオープン型である。
【００４２】
管路ＬＢは、第１、及び、第２増圧制御弁ＳＺ[fh]，ＳＺ[rm]、及び、ホイールシリンダＷＣ[fh]，ＷＣ[rm]の間と調圧リザーバＲ１とを結ぶ減圧用の管路である。管路ＬＢには、連通・遮断状態を制御できる２位置の電磁弁により構成される第１減圧制御弁ＳＧ[fh]と第２減圧制御弁ＳＧ[rm]とが設けられる。第１、及び、第２減圧制御弁ＳＧ[fh]，ＳＧ[rm]は、非通電時には閉状態となり、通電時には開状態となる。これらは、所謂ノーマルクローズ型である。
【００４３】
調圧リザーバＲ１と管路ＬＡとの間には、管路ＬＣが配設される。管路ＬＣには、液圧ポンプＯＰ１が設けられる。液圧ポンプＯＰ１によって、ブレーキ液が調圧リザーバＲ１からを吸入され、マスタシリンダＭＣ、或いは、ホイールシリンダＷＣ[fh]，ＷＣ[rm]に向けて吐出される。液圧ポンプＯＰ１は、電気モータＭＴによって駆動される。調圧リザーバＲ１とマスタシリンダＭＣの間には管路ＬＤが設けられている。車両安定性制御やトラクション制御等の自動加圧が行われるとき、液圧ポンプＯＰ１によってブレーキ液が管路ＬＤを通してマスタシリンダＭＣから吸入され、管路ＬＡ[fh]，ＬＡ[rm]に吐出される。これにより、ブレーキ液がホイールシリンダＷＣ[fh]，ＷＣ[rm]に供給され、対象となる車輪のホイールシリンダＷＣ[**]の制動液圧が増大され、制動トルクが与えられる。
【００４４】
図３を参照して、運転者が操舵操作部材（例えば、ステアリングホイール）ＳＷを操作して、車両前方の障害物等を回避する緊急回避挙動について説明する。
【００４５】
図３（ａ）は、緊急回避挙動を説明するための模式図である。車速Ｖｘｏにて走行中に、車両前方に幅Ｈｂの障害物ＯＢがあり、この障害物ＯＢを回避するために、力Ｆｖ（車体に作用する車輪全体の力であって、制動力Ｆｘと横力Ｆｙとの合力）が、車両に作用する場合を考える。ここで、車両が障害物ＯＢに衝突することなく回避し得る距離をＫｄとする。発生可能な最大力Ｆｖは、車両の重量と路面摩擦係数で決まる車輪の摩擦円ＦＣ上に存在する。力Ｆｖの作用する方向を、車両の減速方向（緊急回避前の車両の進行方向である前後方向に対して逆向き方向）を「０度」として、角度Ｋａ（力の方向）で表す。即ち、車輪の摩擦円ＦＣによって上限値が制限される制動力Ｆｘと横力Ｆｙとのトレードオフ関係が、合力Ｆｖの方向Ｋａによって表現される。合力方向Ｋａが０度である場合には、車両には制動力のみが作用し（Ｆｖ＝Ｆｘ，Ｆｙ＝０）、合力方向Ｋａが９０度である場合には、車両には横力のみが作用する（Ｆｖ＝Ｆｙ，Ｆｘ＝０）。
【００４６】
図３（ｂ）は、同一の車速Ｖｘｏにおいて角度Ｋａを０度から９０度まで変化させた場合の回避距離Ｋｄと回避速度Ｋｖとの関係を示す。ここで、回避距離Ｋｄは障害物ＯＢを回避するために必要な最短距離であり、回避速度Ｋｖは車両が障害物ＯＢに最も近接した際の車両速度である。合力方向Ｋａが「０度」から所定値ｋａ１までの範囲においては、回避距離Ｋｄは車両が障害物ＯＢの手前で停止できる距離ｋｄ１である。合力方向Ｋａが所定値ｋａ１を超える場合は、車両が障害物ＯＢの側方を通過する。そして、合力方向Ｋａの増加に従い回避距離Ｋｄは減少していく。合力方向Ｋａが所定値ｋａ２以上の範囲では、回避距離Ｋｄは概ね飽和し、所定距離ｋｄ２となる。
【００４７】
車両の回避性能が時間に対する横移動量の大小で評価されるならば、制動力が発生されず、横力のみで緊急回避が行われることが最適条件となる。しかしながら、車両の緊急回避挙動では、「最短距離にて障害物を避ける」ことが必要であり、車両の進行距離（前後方向に進む移動量で、以下では前後移動量という）に対する横方向の移動量（以下では横移動量という）の大小にて回避性能が評価されることが必要である。このように考えると、上述の合力方向Ｋａが所定値ｋａ２から「９０度」までが適正な範囲となる。さらに、回避距離の条件に車両速度の条件（車両が最も減速される条件）が付加されると、合力方向Ｋａが所定値ｋａ２であることが、緊急回避挙動における最適条件となる。具体的には、所定値ｋａ２は４５度から６０度の範囲にある。
【００４８】
図４は、本実施形態における車両の運動制御装置の演算処理例を示す機能ブロック図である。なお、各種記号等の末尾に付された添字[**]は、各種記号等が４輪のうちの何れかに関するものであるかを示す。「f」は前輪、「r」は後輪、「m」は車両進行方向に対して右側車輪、「h」は左側車輪、「o」は旋回方向に対して外側車輪（外輪）、「i」は内側車輪（内輪）を示す。したがって、「fh」は左前輪、「fm」は右前輪、「rh」は左後輪、「rm」は右後輪を示す。また、「fo」は旋回外側前輪（外前輪）、「fi」は旋回内側前輪（内前輪）、「ro」は旋回外側後輪（外後輪）、「ri」は旋回内側後輪（内後輪）を示す。また、車両の旋回方向には右方向と左方向の場合がある。それらは一般的には正負の符号が付され、例えば左方向が正符号として表され、右方向が負符号として表される。さらに、車両の加速・減速も、一般的には正負の符号が付され、例えば、加速が正符号として表され、減速が負符号として表される。しかし、値の大小関係、或いは、値の増加・減少を説明する際にその符号を考慮すると非常に煩雑となる。そのため、特に限定がない場合には、絶対値の大小関係、絶対値の増加・減少を表し、所定値は正の値とする。
【００４９】
緊急操舵取得演算ブロック（緊急操舵取得手段に相当）ＭＫＱにて、車両の操舵状態が緊急回避にあるか否かを表す緊急操舵状態Ｋｑｓが取得される。緊急操舵状態Ｋｑｓは、通信バスＣＢを介して得られるセンサ値、及び／又は、他のシステムにおける内部演算値に基づいて演算される。例えば、緊急操舵状態Ｋｑｓは制御フラグ（演算処理の判定結果を表す信号）として演算される。Ｋｑｓ＝０は判定結果が「緊急操舵（緊急回避操舵）ではない」ことを表し、Ｋｑｓ＝１は判定結果が「緊急操舵（緊急回避操舵）である」ことを表す。具体的には、緊急操舵取得演算ブロックＭＫＱは、操舵量取得演算ブロックＳＡＡ、操舵速度取得演算ブロックＤＳＡ、旋回量取得演算ブロックＴＣＡ、相対距離取得演算ブロックＤＯＢ、及び、車両速度取得演算ブロックＶＸＡによって構成される。これらにて演算される操舵量Ｓａａ、操舵速度ｄＳａ、旋回量Ｔｃａ、相対距離Ｄｏｂ、及び、車両速度Ｖｘａは、通信バスＣＢを介して得られるセンサ値、及び／又は、他のシステムにおける内部演算値に基づいて演算される。また、緊急操舵取得演算ブロックＭＫＱにて、緊急操舵に対応する車両の旋回運動における内側、及び、外側は、操舵量Ｓａａ、及び、旋回量Ｔｃａのうちの少なくとも１つに基づいて決定される。
【００５０】
操舵量取得演算ブロックＳＡＡにて、操舵量（例えば、操舵角）Ｓａａが取得される。具体的には、操舵量Ｓａａは、ステアリングホイール角度センサＳＡによって検出される信号（ステアリングホイールＳＷの回転角度であるステアリングホイール角度θｓｗ）に基づいて演算される。また、前輪舵角センサＦＳによって検出される前輪舵角δｆａに基づいて演算され得る。即ち、操舵量（操舵角）Ｓａａは、ステアリングホイール角度θｓｗ、及び、前輪舵角δｆａのうちの少なくとも一方に基づいて演算され得る。操舵速度取得演算ブロック（操舵速度取得手段に相当）ＤＳＡにて、操舵操作部材ＳＷの操作速度である操舵速度（例えば、操舵角速度）ｄＳａが取得される。操舵速度ｄＳａは、操舵量Ｓａａを時間微分して演算され得る。
【００５１】
旋回量取得演算ブロック（旋回量取得手段に相当）ＴＣＡにて、車両の旋回状態の程度（大きさ）を表す状態量である旋回量Ｔｃａが取得される。具体的には、横加速度センサＧＹによって検出される横加速度Ｇｙａに基づいて演算される。また、ヨーレイトセンサＹＲによって検出されるヨーレイトＹｒａに基づいて演算され得る。
【００５２】
相対距離取得演算ブロック（相対距離取得手段に相当）ＤＯＢにて、車両と障害物までの距離である相対距離Ｄｏｂが取得される。具体的には、前方監視装置ＺＰのレーダセンサＲＳ、及び、前方監視カメラＣＭのうちの少なくとも１つによって取得される相対距離（車両から障害物までの距離）に基づいて演算される。
【００５３】
車両速度取得演算ブロック（車速取得手段に相当）ＶＸＡにて、車両の走行速度である車速Ｖｘａが取得される。車両速度Ｖｘａは、後述する車輪速度取得演算ブロックＶＷＡの検出結果Ｖｗａ[**]に基づいて演算され得る。緊急操舵取得演算ブロックＭＫＱでは、相対距離Ｄｏｂ及び車両速度Ｖｘａに基づいて、車両と障害物ＯＢとの相対的な速度（車両が障害物ＯＢに近づいていく速度であり、相対速度という）Ｖｏｂが演算される。さらに、相対速度Ｖｏｂ、及び、相対距離Ｄｏｂに基づいて、現在の相対速度Ｖｏｂが維持された場合に車両と障害物とが衝突するまでに要する時間（衝突時間という）Ｔｔｃが演算される。
【００５４】
緊急操舵取得演算ブロックＭＫＱにて、操舵速度ｄＳａが所定速度（所定値）ｄｓａ１以上の場合において、緊急操舵であること（Ｋｑｓ＝１）が演算される。さらに、操舵速度の条件に加えて、旋回量Ｔｃａが所定旋回量（所定値）ｔｃａ１以上の場合において、緊急操舵であること（Ｋｑｓ＝１）が演算され得る。また、操舵速度の条件、或いは、旋回量の条件に加えて、相対速度Ｖｏｂ、及び、相対距離Ｄｏｂに基づいて演算された衝突時間Ｔｔｃが所定時間（所定値）ｔｔｃ１以下の場合において、緊急操舵であること（Ｋｑｓ＝１）が演算されてもよい。複数の条件に基づいて緊急操舵が判定されるため、確実な判定が行われ得る。緊急操舵取得演算ブロックＭＫＱにおける緊急操舵状態Ｋｑｓの詳細については後述する。
【００５５】
緊急操舵状態Ｋｑｓは、緊急操舵であるか否かを表す制御フラグとして演算されるが、制御フラグに代えて、緊急操舵状態の程度(大きさ)を表す状態量として演算され得る。操舵速度ｄＳａが所定速度ｄｓａ１未満の場合には、Ｋｑｓ＝０（緊急操舵ではない状態）が演算され、操舵速度ｄＳａが所定速度ｄｓａ１以上では操舵速度ｄＳａの増加にしたがって緊急操舵状態Ｋｑｓが増加するように演算され得る。また、衝突時間Ｔｔｃが所定時間ｔｔｃ１以上の場合には、Ｋｑｓ＝０（緊急操舵ではない状態）が演算され、衝突時間Ｔｔｃが所定時間ｔｔｃ１未満では衝突時間Ｔｔｃの減少にしたがって緊急操舵状態Ｋｑｓが増加するように演算され得る。
【００５６】
車輪速度取得演算ブロック（車輪速度取得手段に相当）ＶＷＡにて、各車輪の回転速度（車輪速度）Ｖｗａ[**]が取得される。制動操作量取得演算ブロック（制動操作量取得手段に相当）ＢＳＡにて、運転者によって操作される車両の制動操作部材（例えば、ブレーキペダル）ＢＰの操作量Ｂｓａが取得される。車輪速度Ｖｗａ[**]、及び、制動操作量Ｂｓａは、通信バスＣＢを介して得られるセンサ値、及び／又は、他システムにおける内部演算値に基づいて演算される。
【００５７】
目標制動トルク演算ブロック（制御手段に相当）ＣＴＬにて、緊急操舵状態Ｋｑｓに基づいて各車輪の目標制動トルクＰｗｕ[**]が演算される。目標制動トルク演算ブロックＣＴＬは、規範量演算ブロックＰＷＯ、前後配分演算ブロックＦＲＨ、制限制御演算ブロックＬＭＴ、及び、加算ブロックＳＵＭによって構成される。規範量演算ブロックＰＷＯでは、目標制動トルクの規範量Ｐｗｏ[**]が演算される。前後配分演算ブロックＦＲＨでは、制動トルク規範量Ｐｗｏ[**]に基づいて、制動トルクの前後配分が考慮されて、目標制動トルクＰｗｔ[**]が演算される。さらに、制限制御演算ブロックＬＭＴでは、内前輪ＷＨ[fi]にスリップ抑制制御が実行されることを条件に、前後配分演算ブロックＦＲＨにて演算された目標制動トルクＰｗｔ［ｆｏ］が調整される。そして、加算ブロックＳＵＭにて、運転者の制動操作によって発生する制動トルクＰｗｄ[**]に対して目標制動トルクＰｗｔ[**]が加えられて、最終的な目標制動トルクＰｗｕ[**]が演算される。なお、制動トルクＰｗｄ[**]は、制動操作量Ｂｓａに基づいて演算され得る。例えば、マスタシリンダＭＣ内の圧力Ｐｍｃが検出され、マスタシリンダ圧Ｐｍｃに基づいて、制動トルクＰｗｄ[**]が演算され得る。
【００５８】
規範量演算ブロックＰＷＯでは、Ｋｑｓ＝０（非緊急操舵）の場合には、Ｐｗｏ[**]＝０とされて、制動トルクの増加は行われない。この場合、車両は運転者の減速操作によってのみ減速される。Ｋｑｓ＝１（緊急操舵が識別されたとき）の場合には、制動トルク規範量Ｐｗｏ[**]は予め設定された所定値ｐｗｏ１に決定される。
【００５９】
緊急操舵状態Ｋｑｓが、制御フラグに代えて、緊急操舵の程度を表す状態量（緊急操舵状態量）として演算される場合には、Ｋｑｓ＝０の場合には、同様にＰｗｏ[**]＝０と演算される。そして、緊急操舵状態Ｋｑｓの増加にしたがって制動トルク規範量Ｐｗｏ[**]が増加するように、予め設定された演算マップ（図示せず）に基づいて演算され得る。
【００６０】
規範量演算ブロックＰＷＯにて、制動操作量Ｂｓａが所定操作量（所定値）ｂｓａ１以下の場合において、制動トルク規範量Ｐｗｏ[**]が増加されるが、制動操作量Ｂｓａが所定操作量ｂｓａ１よりも大きい場合において、制動トルク規範量Ｐｗｏ[**]が「０」とされ得る。したがって、制動操作量Ｂｓａが所定操作量ｂｓａ１よりも大きい場合には、緊急操舵による制動トルク増加が行われない。ここで、所定操作量ｂｓａ１は、制動操作部材ＢＰが操作されていない状態に相当する値（ｂｓａ１＝０）に設定され得る。
【００６１】
前後配分演算ブロックＦＲＨにて、規範量演算ブロックＰＷＯにて演算される制動トルク規範量Ｐｗｏ[**]に基づいて、前輪の目標制動トルクＰｗｔ[f*]、及び、後輪の目標制動トルクＰｗｔ[r*]が演算される。緊急操舵状態での運転者の制動操作とは独立した制動トルク増加において、前輪制動トルクに対する後輪制動トルクの比率（前後比率という）が、運転者が制動操作を行う通常制動の場合の前後配分比率Ｋｏ（「１」より小さい一定値）に比較して、小さくなるように調整される。例えば、前輪においてはＰｗｔ[f*]＝Ｐｗｏ[f*]と演算され、後輪においてはＰｗｔ[r*]＝Ｋｐ・Ｐｗｏ[r*]によって演算される。ここで、Ｋｐは係数であり、値Ｋｏより小さい（Ｋｐ＜Ｋｏ）。後述するように、制動トルクは、通常制動時（制御による制動トルク増加が行われず、運転者の操作のみによって制動トルク増加が行われる場合）には特性Ｃｎｏに沿って増加し、緊急操舵時（緊急操舵が判定されて自動的に制動トルク増加が行われる場合）には特性Ｃｎｏよりも小さい前後比率Ｋｐ（０≦Ｋｐ＜Ｋｏ）を有する特性Ｃｋｑ（Ｃｋｑ１，Ｃｋｑ２，Ｃｋｑ３，Ｃｋｑ４）に従って増加する。また、前輪制動トルクは増加されるが、後輪制動トルクは緊急操舵が判定される前の値を保持するように演算され得る（Ｐｗｔ＝Ｐｗｏ[f*]、Ｐｗｔ[r*]＝０）。なお、左右車輪（即ち、緊急操舵状態において内輪と外輪）には同量の制動トルクが増加される。
【００６２】
制限制御演算ブロックＬＭＴにて、後述するスリップ抑制制御演算ブロックＳＬＰからの信号（緊急操舵に対応する車両の旋回運動における内側前輪（内前輪）にスリップ抑制制御が実行されたことを表す制御フラグ）Ｆｓｌｐ[fi]に基づいて、緊急操舵に対応する車両の旋回運動における外側前輪（外前輪）の目標制動トルクＰｗｔ[fo]の増加量が制限（減少）される。緊急操舵に対応する車両の旋回運動における内側、及び、外側は、操舵量Ｓａａ、及び、旋回量Ｔｃａのうちの少なくとも１つに基づいて車両の旋回方向が演算されて決定される。制御フラグＦｓｌｐ[fi]が「０（スリップ抑制制御の非実行）」から「１（スリップ抑制制御の実行）」に切り替わる時点で、内前輪の目標制動トルクＰｗｔ[fo]の時間に対する増加量（増加勾配）に制限が設けられる。さらに、制御フラグＦｓｌｐ[fi]が切り替わる時点での目標制動トルクＰｗｔ[fo]（或いは、Ｐｗａ[fo]）に基づいて上限値ｐｗｍ（例えば、制御フラグＦｓｌｐ[fi]が切り替わる時点の目標制動トルクＰｗｔ[fo](或いは、Ｐｗａ[fo])に所定係数を乗じた値）が設けられ得る。
【００６３】
スリップ抑制制御演算ブロックＳＬＰにてスリップ抑制制御（アンチスキッド制御）が実行されていない場合、目標制動トルク演算ブロックＣＴＬからは前後配分演算ブロックＦＲＨにて前後配分された結果である目標制動トルクＰｗｔ[**]が出力される。スリップ抑制制御演算ブロックＳＬＰにて内前輪ＷＨ[fi]にスリップ抑制制御が実行されている場合には、外前輪ＷＨ[fo]に対して制動トルク増加量が抑制された目標制動トルクＰｗｔ[fo]が制限制御演算ブロックＬＭＴから出力され、それ以外の車輪に対しては前後配分演算ブロックＦＲＨからの目標制動トルクＰｗｔ[**]がそのまま出力される。
【００６４】
加算ブロックＳＵＭにて、運転者の制動操作によって発生する制動トルクＰｗｄ[**]に対して目標制動トルクＰｗｔ[**]が加えられて、目標制動トルクＰｗｕ[**]が演算される。運転者が制動操作を行っていない場合は、Ｐｗｄ[**]＝０であるため、目標制動トルク演算ブロックＣＴＬからはＰｗｕ[**]として目標制動トルクＰｗｔ[**]が出力される。運転者の制動操作によって生じる制動トルクＰｗｄ[**]に対して、緊急操舵による制動トルクＰｗｕ[**]が増加される。
【００６５】
スリップ抑制制御演算ブロック（スリップ抑制手段に相当）ＳＬＰにて、車輪速度取得演算ブロックＶＷＡにて取得される車輪速度Ｖｗａ[**]に基づいて、前後スリップ（車輪の回転方向のスリップ）が演算され、過大な前後スリップを抑制するスリップ抑制制御が車輪毎に実行される。スリップ抑制制御演算ブロックＳＬＰにて実行されるスリップ抑制制御の詳細については後述する。スリップ抑制制御演算ブロックＳＬＰにてスリップ抑制制御が実行される車輪については、加算後の目標制動トルクＰｗｕ[**]が調整されて、目標制動トルクＰｗｓ[**]が演算され、スリップ抑制制御演算ブロックＳＬＰから出力される。スリップ抑制制御が実行されない車輪については、目標制動トルクＰｗｕ[**]がそのまま目標制動トルクＰｗｓ[**]として出力される。また、スリップ抑制制御演算ブロックＳＬＰから、内前輪（緊急操舵に対応する車両の旋回方向における内側の前輪）にスリップ抑制制御（アンチスキッド制御）が実行されたことを表す信号である制御フラグＦｓｌｐ[fi]が制限制御演算ブロックＬＭＴに送信される。
【００６６】
制動手段ＭＢＲにて、調整後の目標制動トルクＰｗｓ[**]に基づいて、ブレーキアクチュエータＢＲＫの駆動手段（例えば、液圧ポンプ駆動用の電気モータ、ソレノイドバルブの駆動手段）が制御され、車輪の制動トルクが増加される。運転者が制動操作部材ＢＰを操作している場合には、その操作量に応じた制動トルクに、緊急操舵による制動トルクが加えられる。運転者が制動操作を行っていない場合には、緊急操舵によって、制動トルクが「０」から増加される。
【００６７】
制動トルクの実際値Ｐｗａ[**]を検出するセンサ（例えば、圧力センサＰＷ[**]）を車輪に備え得る。目標値Ｐｗｓ[**]と実際値Ｐｗａ[**]とに基づいて、実際値Ｐｗａ[**]が目標値Ｐｗｓ[**]に一致するように、駆動手段が制御され得る。
【００６８】
図５は、緊急操舵取得手段（緊急操舵取得演算ブロック）ＭＫＱでの緊急操舵状態の判定演算について説明するためのフロー図である。ここで、緊急操舵状態Ｋｑｓは、「０」が非緊急操舵を表し、「１」が緊急操舵を表す制御フラグとして演算される。
【００６９】
先ず、ステップＳ１１０にて、初期化が行われる。ここで、緊急操舵状態Ｋｑｓは初期値である「０」とされる。Ｓ１２０にて、センサ値、及び／又は、他システムの内部演算値が読み込まれる。Ｓ１３０にて、上述の各状態量（ｄＳａ等）が演算される。
【００７０】
次に、判定ステップＳ１４０，Ｓ１５０，Ｓ１６０，Ｓ１７０にて、操舵状態が緊急操舵であるか否かの判定が行われる。Ｓ１４０にて、操舵速度（例えば、操舵角速度）ｄＳａが所定速度ｄｓａ１以上であるかが判定される。ステップＳ１４０にて肯定判定（Ｙｅｓ）がなされると、演算処理はステップＳ１５０に進む。Ｓ１５０にて、操舵量（例えば、操舵角）Ｓａａが所定量ｓａａ１以上であるかが判定される。ステップＳ１５０にて肯定判定（Ｙｅｓ）がなされると、演算処理はステップＳ１６０に進む。Ｓ１６０にて、旋回量（例えば、横加速度）Ｔｃａが所定旋回量ｔｃａ１未満であるかが判定される。ステップＳ１６０にて肯定判定（Ｙｅｓ）がなされると、演算処理はステップＳ１７０に進む。Ｓ１７０にて、衝突時間Ｔｔｃが所定時間ｔｔｃ１未満であるかが判定される。ステップＳ１７０にて肯定判定（Ｙｅｓ）がなされると、演算処理はステップＳ１８０に進む。そして、Ｓ１８０にて操舵状態が緊急操舵であることが判定され、緊急操舵状態（例えば、制御フラグ）Ｋｑｓが「０（非緊急操舵）」から「１（緊急操舵）」に切り替えられる。
【００７１】
判定ステップＳ１４０，Ｓ１５０，Ｓ１６０，Ｓ１７０の何れかにて、否定判定（Ｎｏ）がなされると、演算処理はステップＳ１９０に進み、緊急操舵ではない状態（Ｋｑｓ＝０）が維持される。ここで、判定ステップＳ１５０，Ｓ１６０，Ｓ１７０のうちの少なくとも１つは省略され得る。
【００７２】
なお、緊急操舵状態Ｋｑｓが制御フラグとして演算されることに代えて、緊急操舵状態Ｋｑｓが緊急操舵の程度（大きさ）を表す状態量として演算され得る。この場合、操舵速度ｄＳａの増加にしたがって緊急操舵状態Ｋｑｓが増加するように演算され、衝突時間Ｔｔｃの減少にしたがって緊急操舵状態Ｋｑｓが増加するように演算され得る。
【００７３】
図６は、スリップ抑制手段（スリップ抑制制御演算ブロック）ＳＬＰの詳細について説明するための機能ブロック図である。
【００７４】
車体速度演算ブロックＶＳＯでは、各輪の車輪速度Ｖｗａ[**]に基づいて、公知の方法で車体速度Ｖｓｏが演算される。車輪加速度演算ブロックＤＶＷでは、各輪の車輪速度Ｖｗａ[**]に基づいて、公知の方法で車輪加速度ｄＶｗ[**]が演算される。
【００７５】
各輪制御モード演算ブロックＭＯＤでは、各車輪のスリップ抑制制御（アンチスキッド制御）の制御モードが決定され、最終的な目標制動トルクＰｗｓ[**]が演算される。制御モードは、目標制動トルクＰｗｔ[**]を調整するために決定される。制御モードには、制動トルクが増加される「増加モード（制御マップでは「増加」で表示）」、及び、制動トルクが減少される「減少モード（制御マップでは「減少」で表示）」がある。
【００７６】
車体速度Ｖｓｏから所定値ｓｐ１，ｓｐ２がそれぞれ減算されて、スリップ抑制制御の基準速度（しきい値）ｖａｎ，ｖａｈがそれぞれ演算される。所定値ｓｐ１，ｓｐ２は、前後スリップにおけるしきい値ｖａｎ，ｖａｈを決定するための予め設定された前後スリップ速度であり、ｓｐ１＜ｓｐ２の関係がある。前後スリップ演算として、車輪速度Ｖｗａ[**]が、基準速度ｖａｎ，ｖａｈと比較される。さらに、車輪加速度ｄＶｗ[**]が基準加速度（しきい値）ｇａ１，ｇａ２と比較される。基準加速度ｇａ１，ｇａ２は予め設定された所定値であり、ｇａ１＜ｇａ２の関係がある。各輪制御モード演算ブロックＭＯＤ内に示す制御マップが参照され、それらの大小関係に基づいて制御モードが選択される。例えば、車輪速度Ｖｗａ[**]が基準速度ｖａｎ以上、且つ、基準速度ｖａｈ未満であり、車輪加速度ｄＶｗ[**]が基準加速度ｇａ１未満である場合には、制動トルクが減少される「減少モード」が選択される。
【００７７】
「減少モード」が選択される場合には、目標制動トルクＰｗｕ[**]、或いは、目標制動トルクＰｗｓ[**]の演算処理における前回値が減少するように調整されて目標制動トルクＰｗｓ[**]が演算される。また、「増加モード」が選択される場合には、目標制動トルクＰｗｓ[**]の前回値から増加するように調整されて目標制動トルクＰｗｓ[**]が演算される。
【００７８】
各輪制御モード演算ブロックＭＯＤは、内前輪の制御サイクルにおいて初めて「減少モード」が選択されるとき（即ち、内前輪ＷＨ[fi]にスリップ抑制制御が開始される時点）に、制御フラグＦｓｌｐ[fi]が、「０（スリップ抑制制御が非実行）」から「１（スリップ抑制制御が実行）」に切り替えられ、目標制動トルク演算ブロックＣＴＬに送信される。目標制動トルク演算ブロックＣＴＬ内の制限制御演算ブロックＬＭＴにて、制御フラグＦｓｌｐ[fi]に基づいて、制動トルクの増加量が抑制（制限）される。
【００７９】
図７は、制限制御演算ブロックＬＭＴについての実施形態の作用・効果を説明するための時系列線図である。
【００８０】
運転者が制動操作部材ＢＰを操作して制動トルクｐｗ０が付与されている状態において、時間ｔ０にて緊急操舵が判別されて制動トルク増加が開始される。時間ｔ１までは、２つの前輪ＷＨ[f*]に対して同量の制動トルクが加えられる。制動トルクｐｗ１に達した時点で、内前輪（緊急操舵に対応する車両の旋回運動における内側の前輪）ＷＨ[fi]にスリップ抑制制御（アンチスキッド制御）が実行される（波形Ｃｈｉを参照）。内前輪のスリップ抑制制御の実行を表す信号（例えば、制御フラグＦｓｌｐ[fi]）に基づいて外前輪（緊急操舵に対応する車両の旋回運動における外側の前輪）ＷＨ[fo]の制動トルク増加量が抑制（減少）される。緊急操舵に対応する車両の旋回運動における内側、及び、外側は、操舵量Ｓａａ、及び、旋回量Ｔｃａのうちの少なくとも１つに基づいて演算される。スリップ抑制制御の非実行時には、目標制動トルクＰｗｕ[fo]（結果として、実際の制動トルクＰｗａ[fo]）は破線で表す特性Ｃｈｏにて増加されるが、内前輪にスリップ抑制制御が開始されたことを表す制御フラグＦｓｌｐ[fi]の信号を受けて、特性Ｃｈｏに比較して制動トルクの増加量が制限された特性Ｃｈｐをもって目標制動トルクＰｗｕ[fo]（結果として、Ｐｗａ[fo]）は増加される。即ち、時間に対する制動トルクの増加量（増加勾配）が減少（制限）される。このとき、併せて、上限値ｐｗｍが決定されて、目標制動トルクＰｗｕ[fo]（結果として、実制動トルクＰｗａ[fo]）が上限値ｐｗｍ以下となるように制限され得る（波形Ｃｈｍを参照）。ここで、上限値ｐｗｍは値ｐｗ１に基づいて決定され得る。なお、運転者が制動操作部材ＢＰを操作していない場合には、制動トルクは「０」から増加される。
【００８１】
車輪の前後スリップ（車輪の回転速度と車体速度との偏差）は路面摩擦係数の影響を受けるため、スリップ抑制制御が開始されたことは、内前輪が路面の摩擦限界に到達したことを表している。この時点で、外前輪の制動トルク増加が制限（制動トルクの増加量の減少）されることで、効果的に車両が減速され、必要な前輪の横力が確保され得る。さらに、左右前輪間での制動トルク差によって車両のヨーイング運動の発生が助長される。即ち、最短距離（車両進行方向の距離）にて障害物を避けると共に、最も車両が減速される状態（合力方向Ｋａが所定値ｋａ２近傍にある状態）が生み出され得る。
【００８２】
図８は、前後配分演算ブロックＦＲＨに関する実施形態について作用・効果を説明するための制動トルクの前後配分線図である。
【００８３】
運転者の制動操作によって制動トルクが増加される通常制動の場合（緊急操舵による制動トルク増加は行われない場合）には、前輪制動トルクに対する後輪制動トルクの比率（前後比率という）において所定の比率Ｋｏ（一定値）をもって前後輪の制動トルクが増加される。即ち、前後輪制動トルクが特性Ｃｎｏに沿って増加される。例えば、運転者の制動操作によって、前後輪の制動トルクが点Ｘの状態にあるときに緊急操舵が判定されると、通常制動時の前後比率Ｋｏに比べて小さい前後比率Ｋｐをもつ特性Ｃｋｑ１に沿って制動トルクが増加される。また、特性Ｃｋｑ２にて示すように、緊急操舵によって前輪の制動トルクが増加され、後輪の制動トルクが（緊急操舵判定前の状態に）保持され得る。この場合、緊急操舵による制動トルク増加は前輪においてのみ行われる。
【００８４】
同様に、運転者が制動操作を行っていない場合においても、通常制動時の前後比率特性Ｃｎｏ（前後比率Ｋｏ）よりも相対的に前後比率が小さい特性（前後比率Ｋｐ）Ｃｋｑ３に沿って制動トルクの増加が行われる。後輪制動トルクが保持される場合（即ち、後輪制動トルクの増加が行われず、「０」に維持される場合）には、特性Ｃｋｑ４に沿って制動トルクが増加される。
【００８５】
急操舵と制動が同時に行われる場合、車両挙動の変化（例えば、車両のふらつき）が発生する場合がある。運転者自身の操作によって車両挙動変化が引き起こされる場合には、運転者はその変化に対して然程違和を感じ難い。しかし、運転者の制動操作とは独立して制動トルクが増加される場合（即ち、自動で制動トルクが増加される場合）には挙動変化に対して違和を感じ易い。そのため、制御によって自動的に制動トルクが増加されるときには、前後比率（前輪制動トルクの増加量に対する後輪制動トルクの増加量）が通常制動時に比較して小さい値に調整されて、車両の安定性が向上される。
【００８６】
図９は、前後配分演算ブロックＦＲＨに関する他の実施形態について作用・効果を説明するための時系列線図である。上述では、運転者への違和感を抑制するため、前輪制動トルクの増加量に対する後輪制動トルクの増加量である前後比率が、緊急操舵判別時に通常制動時よりも相対的に小さくされることを説明したが、ここでは、特に、動的な前後比率の補償について説明する。
【００８７】
運転者が制動操作部材ＢＰを操作して制動トルクｐｖ０が付与されている状態において、時間ｕ０にて緊急操舵が判別されて制動トルク増加が開始される。緊急操舵による自動的な制動トルク増加において、前輪の制動トルクの時間変化量Ｋｆよりも後輪の制動トルクの時間変化量Ｋｒが小さくされる。後輪の制動トルク時間変化量Ｋｒは、「０」とされ得る。即ち、緊急操舵によって前輪制動トルクが増加され、後輪制動トルクがｐｖ０に保持される（緊急操舵によって後輪制動トルクが増加されない）。なお、運転者が制動操作部材ＢＰを操作していない場合には、制動トルクは「０」から増加される。
【００８８】
上述と同様に、自動制動が行われている場合の挙動変化は運転者への違和感となる。後輪制動トルクの時間変化量（単位時間当りの増加量）が、前輪制動トルクの時間変化量よりも小さくされることによって、動的にも後輪横力が確保されて、車両ふらつきが抑制され得る。また、制動トルクの増加が前輪のみにて行われるように構成されると、後輪の横力が十分に確保されて、進路変更時の車両ふらつきが抑制され得る。
【００８９】
図１０は、本実施形態における車両の運動制御装置に関する他の演算処理例を示す機能ブロック図である。図４と同様である演算処理については説明を省略し、異なる箇所についてのみ説明する。
【００９０】
図４の演算処理では、スリップ抑制制御が実行されたことをトリガに外前輪の制動トルク増加量が制限されて、図３（ｂ）に示すＫａ≒ｋａ２の状態が生成されるが、緊急操舵状態における車両横方向の接地荷重移動量は予め予測可能であるため、図１０の演算処理では、この影響が考慮されて制動トルク増加量が決定される。
【００９１】
目標制動トルク演算ブロック（制御手段に相当）ＣＴＬ内の規範量演算ブロックＰＷＰにて、緊急操舵が取得された場合（Ｋｑｓ＝１）に適用される予め設定された関係に基づいて、緊急操舵によって変動する車輪の接地荷重Ｆｚ[**]が予測される。この予め設定された関係においては、緊急操舵が判定されたときに、外前輪の接地荷重が予め設定された所定荷重（定数）ｆｚ１[fo]とされ、内前輪の接地荷重が予め設定された所定荷重（定数）ｆｚ１[fi]（＜ｆｚ１[fo]）とされる。予測（決定）された接地荷重ｆｚ１[f*]に基づいて、緊急操舵に対応する車両の旋回運動において外前輪ＷＨ[fo]の制動トルク規範量Ｐｗｐ[fo]、及び、内前輪ＷＨ[fi]の制動トルク規範量Ｐｗｐ[fi]が演算される。緊急操舵に対応する車両の旋回運動における内側、及び、外側は、操舵量Ｓａａ、及び、旋回量Ｔｃａのうちの少なくとも１つに基づいて演算される。接地荷重ｆｚ１[f*]に基づいて制動トルク規範量Ｐｗｐ[fo]の上限量Ｐｗｚ[fo]、及び、制動トルク規範量Ｐｗｐ[fi]の上限量Ｐｗｚ[**]が決定されて、制動トルク規範量Ｐｗｐ[fo]，Ｐｗｐ[fi]が順次上限量Ｐｗｚ[f*]にまで増加するように演算される。なお、規範量Ｐｗｐ[f*]は上限量Ｐｗｚ[f*]を超過しない範囲で演算される。
【００９２】
また、操舵量取得演算ブロックＳＡＡにて演算される操舵量Ｓａａ、及び、旋回量取得演算ブロックＴＣＡにて演算される旋回量Ｔｃａのうちの少なくとも１つと、緊急操舵が取得された場合（Ｋｑｓ＝１）に適用される予め設定された関係（演算マップ）とに基づいて外前輪の接地荷重Ｆｚ[fo]、及び、内前輪の接地荷重Ｆｚ[fi]が予測され得る。前記演算マップの特性においては、操舵量Ｓａａ（或いは、操舵量Ｓａａに基づいて演算される計算横加速度Ｇｙｅ），旋回量Ｔｃａ（例えば、横加速度センサＧＹによって検出される実際の横加速度Ｇｙａ）の増加に従って、外前輪の接地荷重Ｆｚ[fo]は増加し、内前輪の接地荷重Ｆｚ[fi]は減少する。
【００９３】
予測された接地荷重Ｆｚ[f*]に基づいて、緊急操舵に対応する車両の旋回運動において外前輪ＷＨ[fo]の制動トルク規範量Ｐｗｐ[fo]、及び、内前輪ＷＨ[fi]の制動トルク規範量Ｐｗｐ[fi]が演算される。緊急操舵に対応する車両の旋回運動における内側、及び、外側は、操舵量Ｓａａ、及び、旋回量Ｔｃａのうちの少なくとも１つに基づいて演算される。接地荷重Ｆｚ[f*]に基づいて制動トルク規範量Ｐｗｐ[fo]の上限量Ｐｗｚ[fo]、及び、制動トルク規範量Ｐｗｐ[fi]の上限量Ｐｗｚ[**]が決定されて、制動トルク規範量Ｐｗｐ[fo]，Ｐｗｐ[fi]が順次上限量Ｐｗｚ[f*]にまで増加するように演算される。なお、規範量Ｐｗｐ[f*]は上限量Ｐｗｚ[f*]を超過しない範囲で演算される。
【００９４】
外前輪（緊急操舵に対応する車両の旋回運動における外側の前輪）ＷＨ[fo]の制動トルク上限量Ｐｗｚ[fo]は、接地荷重Ｆｚ[fo]の６０〜８０％の制動力に相当する値（＝（０．６〜０．８）・Ｆｚ[fo]・Ｒｔ）に決定される。また、内前輪（緊急操舵に対応する車両の旋回運動における内側の前輪）ＷＨ[fi]の制動トルク上限量Ｐｗｚ[fi]は、接地荷重Ｆｚ[fi]の１００〜１２０％の制動力に相当する値（＝（１．０〜１．２）・Ｆｚ[fi]・Ｒｔ）に決定される。ここで、Ｒｔはタイヤの有効半径である。外前輪及び内前輪の制動トルク規範量Ｐｗｐ[fo]，Ｐｗｐ[fi]は、上限値Ｐｗｚ[fi]（＜Ｐｗｚ[fo]）に達するまでは、同量で増加され得る。
【００９５】
前後配分演算ブロックＰＷＱにて、上述の前後配分演算ブロックＦＲＨと同様に、制動トルク規範量Ｐｗｐ[**]が調整されて、目標制動トルクＰｗｑ[**]が演算される。調整後の後輪目標制動トルクＰｗｑ[r*]は制動トルク規範量Ｐｗｐ[r*]から減少されることによって演算され、調整後の前輪目標制動トルクＰｗｑ[f*]は制動トルク規範量Ｐｗｐ[f*]と等しい値に演算され得る。
【００９６】
選択演算ブロックＳＬＣにて、調整後の目標制動トルクＰｗｑ[**]と、運転者の制動操作による制動トルクＰｗｄ[**]とが比較されて、大きい方の値が目標制動トルクＰｗｖ[**]としてスリップ抑制制御演算ブロックＳＬＰに出力される。選択後の目標制動トルクＰｗｖ[**]の演算には、予め設定された関係によって推定された接地荷重Ｆｚ[f*]に基づいて決定された上限量Ｐｗｚ[f*]が考慮され、目標制動トルクＰｗｖ[**]は、最終的に上限量Ｐｗｚ[f*]にまで増加される。内前輪の制動トルク規範量Ｐｗｐ[fi]はスリップ抑制制御が実行される制動トルク量（接地荷重の１〜１．２倍に相当）に決定される。また、外前輪の制動トルク規範量Ｐｗｐ[fo]はスリップ抑制制御が実行されない制動トルク量（接地荷重の０．６〜０．８倍に相当）に決定されている。結果として、内前輪（緊急操舵に対応する車両の旋回運動における外側の前輪）にはスリップ抑制制御が実行され、外前輪（緊急操舵に対応する車両の旋回運動における内側の前輪）にはスリップ抑制制御が実行されない。なお、制動トルク規範量Ｐｗｐ[f*]は、内前輪にスリップ抑制制御が行われる以前においては、等しい増加量をもって増加され得る。
【００９７】
緊急回避状態（緊急操舵）における接地荷重移動量は事前に把握が可能である。したがって、緊急操舵時の前輪接地荷重は、緊急操舵であることが取得された場合に適用される予め設定された関係（所定値ｆｚ１[f*]，実際の横加速度Ｇｙａ、或いは、計算横加速度Ｇｙｅに基づく演算マップ）に基づいて予測され得る。予測された接地荷重に基づいて、内前輪にはスリップ抑制制御が実行され、且つ、外前輪にはスリップ抑制制御が実行されない値にまで、制動トルク（Ｐｗｔ[**]，Ｐｗｕ[**]，Ｐｗａ[**]）が増加するように構成されるため、上記と同様に、短い走行移動距離（前後移動距離）で横移動距離が確保されると共に、十分な車両減速が得られる。
【符号の説明】
【００９８】
ＷＨ[**]…車輪、ＭＢＲ…制動手段、ＳＷ…操舵操作部材、ＭＫＱ…緊急操舵取得手段、ＳＡＡ…操舵量取得手段、ＤＳＡ…操舵速度取得手段、ＶＷＡ…車輪速度取得手段、ＣＴＬ…制御手段、ＳＬＰ…スリップ抑制手段、ＶＸＡ…車速取得手段、ＤＯＢ…相対距離取得手段、ＢＰ…制動操作部材、ＢＳＡ…制動操作量取得手段
【図１】
0005617314.tif 000002
【図２】
0005617314.tif 000003
【図３】
0005617314.tif 000004
【図４】
0005617314.tif 000005
【図５】
0005617314.tif 000006
【図６】
0005617314.tif 000007
【図７】
0005617314.tif 000008
【図８】
0005617314.tif 000009
【図９】
0005617314.tif 000010
【図１０】
0005617314.tif 000011